(57)【特許請求の範囲】
【請求項１】
貯留タンクと、この貯留タンクとユニットを構成している下部補助貯留タンクとを具備しており、
上記貯留タンクは、研磨機の一側である後側にこの研磨機に沿ってかつ隙間空間を開けて配置されており、下部が連絡室となっており、タンク本体部とタンク前蓋部とによって角筒状に形成されており、上記タンク前蓋部が上記研磨機に対して前後移動可能であり、上記貯留タンク内に上下方向に配置してあって、上記研磨機で研磨された余剰の遊技媒体が流下可能である通路を備えており、上記通路の外側の上記貯留タンクの内部空間が上記遊技媒体の貯留空間となっており、
上記通路の内部に通路内を流下する上記遊技媒体を下方に案内するための案内部材をこの通路の軸心方向に間隔を置いて設けてあり、上記通路の両側側部のうち少なくとも片側に上記遊技媒体が通過可能の通孔を設けてあり、
上記通孔を介して上記貯留空間と上記通路とは連通されており、
上記下部補助貯留タンクは、上記研磨機を挟んで遊技機の配列方向の両側に配置されており、その上端が開口部となっていると共に、内底面に遊技媒体の排出口が形成されており、上記各下部補助貯留タンクの上端開口部には、その長さ方向に移動手段を構成する平板状の移送樋をそれぞれ渡すと共に、各移送樋の両側の空間を覆う孔開き板を配設してあり、各孔開き板には上記各移送樋の側方から流出してきた遊技媒体が通過可能である孔を複数開けてあり、上記排出口は上記研磨機に通じている回収樋と上下方向に対向位置されており、
上記排出口と回収樋とは、双方の間に配置されている案内通路によって接続されており、上記案内通路は上記回収樋の幅方向の側部に接続されており、上記排出口から排出された遊技媒体は上記案内通路に流出され、上記回収樋の側部から回収樋に移動可能であり、
上記連絡室は上記研磨機側である前側の両側壁に各出口が設けられており、内底面は中央部を高くして双方の上記出口に向けて下がり勾配である山形傾斜面としており、上記各出口には上記移送樋が接続されており、
上記通路の下部は上記連絡室の後側上部に配置されていると共に、上記連絡室に開口され、上記貯留空間の下部が上記連絡室と通じており、
上記貯留タンク内に貯留された上記研磨機で研磨された余剰の遊技媒体は、上記通路の下部側から連絡室の後側内部に流下されて上記内底面によって振り分けられて前側の上記両側壁の各出口から流出し、上記移送樋及び孔開き板によって上記下部補助貯留タンクへ移動可能であり、上記連絡室が遊技媒体により満杯状態の時には上記通路内に落下した遊技媒体が通路内に貯留されると共に上記通孔を通過して上記貯留空間内へ一時的に貯留されるものである
ことを特徴とする遊技媒体の貯留装置。
【発明の詳細な説明】
【０００１】
【発明の属する技術分野】
この発明は、研磨機によって研磨され余剰となった遊技媒体を一時的に貯めておくことができる遊技媒体の貯留装置に関する。
【０００２】
【従来の技術】
一般に、遊技島を構成している遊技機列の下部には遊技島内を循環するパチンコ玉を一時的に貯めておくための横に長いいわゆる横型貯留タンクを設けてある。この横型貯留タンク内に貯留されたパチンコ玉は、下記に説明するように補給の必要が生じた場合に横型貯留タンクの出口が開いて遊技島に起立されている研磨機へ導かれ、この研磨機で研磨されながら揚送される。研磨されたパチンコ玉は補給樋を通じて各遊技機へ補給されるが、補給不要の場合には研磨機の上部に設けている上部タンクに貯められる。この上部タンクが一杯になると、研磨されたパチンコ玉の補給樋とは別の供給樋を通じて上記横型貯留タンクへ戻される。そして例えば遊技機が賞球を要求した場合、上記上部タンクから補給樋を通って遊技機に分配される。この上部タンクは小型であるから、内部のパチンコ玉が少なくなった場合に、横型貯留タンクから研磨機を介して補給樋にパチンコ玉を流す。また、隣の遊技島でパチンコ玉が減少した場合にも横型貯留タンクからパチンコ玉を供給する役目がある。
【０００３】
【発明が解決しようとする課題】
上部タンクが研磨されたパチンコ玉で一杯となった場合、パチンコ玉は長い供給樋を通じて上記横型貯留タンクへ戻されるため、循環経路が長くなり、長くなる分だけ騒音発生が顕著になり、定期的なメンテナンス個所が増えると共に遊技機の設置工事範囲が広くなり、装置の維持管理や設置工事に手間と費用がかかる課題があった。
この発明の目的は、騒音の発生を抑制し、装置の維持管理や設置工事における手間と費用を軽減することにある。
【０００４】
【課題を解決するための手段】
この発明の特徴は、貯留タンクと、この貯留タンクとユニットを構成している下部補助貯留タンクとを具備していることにある。上記貯留タンクは、研磨機の一側である後側にこの研磨機に沿ってかつ隙間空間を開けて配置されており、下部が連絡室となっており、タンク本体部とタンク前蓋部とによって角筒状に形成されており、上記タンク前蓋部が上記研磨機に対して前後移動可能であり、上記貯留タンク内に上下方向に配置してあって、上記研磨機で研磨された余剰の遊技媒体が流下可能である通路を備えており、上記通路の外側の上記貯留タンクの内部空間が上記遊技媒体の貯留空間となっている。上記通路の内部に通路内を流下する上記遊技媒体を下方に案内するための案内部材をこの通路の軸心方向に間隔を置いて設けてあり、上記通路の両側側部のうち少なくとも片側に上記遊技媒体が通過可能の通孔を設けてあり、上記通孔を介して上記貯留空間と上記通路とは連通されている。上記下部補助貯留タンクは、上記研磨機を挟んで遊技機の配列方向の両側に配置されており、その上端が開口部となっていると共に、内底面に遊技媒体の排出口が形成されており、上記各下部補助貯留タンクの上端開口部には、その長さ方向に移動手段を構成する平板状の移送樋をそれぞれ渡すと共に、各移送樋の両側の空間を覆う孔開き板を配設してあり、各孔開き板には上記各移送樋の側方から流出してきた遊技媒体が通過可能である孔を複数開けてあり、上記排出口は上記研磨機に通じている回収樋と上下方向に対向位置されている。上記排出口と回収樋とは、双方の間に配置されている案内通路によって接続されており、上記案内通路は上記回収樋の幅方向の側部に接続されており、上記排出口から排出された遊技媒体は上記案内通路に流出され、上記回収樋の側部から回収樋に移動可能である。上記連絡室は上記研磨機側である前側の両側壁に各出口が設けられており、内底面は中央部を高くして双方の上記出口に向けて下がり勾配である山形傾斜面としており、上記各出口には上記移送樋が接続されている。上記通路の下部は上記連絡室の後側上部に配置されていると共に、上記連絡室に開口され、上記貯留空間の下部が上記連絡室と通じている。上記貯留タンク内に貯留された上記研磨機で研磨された余剰の遊技媒体は、上記通路の下部側から連絡室の後側内部に流下されて上記内底面によって振り分けられて前側の上記両側壁の各出口から流出し、上記移送樋及び孔開き板によって上記下部補助貯留タンクへ移動可能である。上記連絡室が遊技媒体により満杯状態の時には上記通路内に落下した遊技媒体が通路内に貯留されると共に上記通孔を通過して上記貯留空間内へ一時的に貯留されるものである。
【０００５】
【作用】
この発明では、研磨機で研磨された余剰の遊技媒体が研磨機の一側に位置している縦型貯留タンク内を通過して移動手段を介して下部補助貯留タンクから研磨機側に排出され、貯留時には通路の通孔から貯留空間に移動してこの貯留空間に一時的に貯留される。縦型貯留タンク内に貯留された遊技媒体は縦型貯留タンクの出口から研磨機の下部側に向けて放出されるので、遊技媒体は出口に近いものは当然のこととして、出口から遠いものも貯留空間に停留することがなく、遊技媒体の円滑な循環を可能にする。そして研磨機で研磨された余剰の遊技媒体は研磨機からこの研磨機に近接している縦型貯留タンクへ移送されることにより、その移動距離が短くなり、遊技媒体の循環経路が簡略化され騒音の発生が抑制される。
【０００６】
【発明の実施の形態】
図１及び図２に示すこの発明に係る遊技媒体の貯留装置は、貯留タンクである縦型貯留タンク１と、この縦型貯留タンクとユニットを構成している下部補助貯留タンク２とを具備しているものである。
縦型貯留タンク１は、遊技媒体であるパチンコ玉４を研磨するための研磨機３の一側（図２右側）にこの研磨機に沿って上下方向に配置されている。縦型貯留タンク１はその下部で下部補助貯留タンク２を介して研磨機３と通じている。研磨機３は、複数の遊技機６から構成されている遊技機列（遊技島）５の中央部において起立されており、各遊技機から排出されかつ汚れたアウト玉等のパチンコ玉４を研磨手段により研磨しながら揚送して研磨機の上部に設けてある上部タンク７へ送るものである。上部タンク７内のパチンコ玉４は補給樋（図示せず。）に供給される。研磨機３で研磨された余剰のパチンコ玉４は後述する流下通路２３へ流下可能である。
なお、遊技機列５の腰下には、それぞれの遊技機６からのアウト玉やパチンコ玉の計数機から排出されたパチンコ玉４を研磨機３へ移動させるための回収樋８が、研磨機に向けて下がり勾配に配設されている。
縦型貯留タンク１の具体的構造に関して、主に図３乃至図９を参照して説明する。
縦型貯留タンク１は、図３乃至図６に示すように、いずれも溝形のタンク本体部９とタンク前蓋部１０とによって角筒状に形成されている。溝形のタンク前蓋部１０は、溝形のタンク本体部９の前側開口部を覆っており、タンク本体部の両側板に取付けられているボルト受け１１とボルト１２とによって固定される。タンク前蓋部１０の側板には、ボルト１２が相対的に移動できるようなガイド溝１０ａが前後方向（図４左右方向）に形成されている。ガイド溝１０ａは、図４の例ではタンク前蓋部１０の側板の上下方向に等間隔を置いて４本配置されている。タンク前蓋部１０は、ボルト１２の固定を緩めることによって図５鎖線に示すように前方へ、またはこの鎖線の位置から後方へそれぞれ移動可能である。これらの移動操作によって縦型貯留タンク１の内部空間を拡大または縮小することができる。
タンク本体部９の上端部は横材１３に取付けられている接続カバー１４に接続されており、横材１３の両端は支柱枠１５に保持されている（図１）。
縦型貯留タンク１はその内部に通路１６を備えており、この通路の外側すなわち通路を囲む内部空間がパチンコ玉の貯留空間１７となっている。貯留空間１７の下部は連絡室１８と通じており、そして上記通路１６の下部が連絡室に開口されている。
通路１６の具体的構造を図３乃至図９に基づいて説明する。
通路１６は縦型貯留タンク１の本体内に上下方向に配置されている。通路１６は、支持板１９と、支持板間に挟むようにして設けられている案内部材２０とによって角筒状に形成され、そしてその外面部（図６の例では両側面部）に通孔２２を設けてある。前後に位置している両支持板１９は、図６及び図７に示すように、所定間隔を置いて互いに平行に対向して配置されている。案内部材２０は、図７に示すように支持板１９の両側にそれぞれ支持板の上端部から下端部にかけて間隔を置いて固定されている。案内部材２０は、その内部を通過するパチンコ玉４を下方に案内するためのものである。両側に位置している各案内部材２０は、図示の例によればＬ形の緩衝部材からなり、いずれも複数箇所（図７ではそれぞれ２箇所）をボルト２１によって前後の支持板１９に固定されている。
支持板１９の両側に位置している案内部材２０の配置関係に関して述べる。  両側に位置している案内部材２０は互いに対向することなく、例えば図７では互いに位置を交互にずらしながら、すなわち一側で上下方向に隣接している案内部材２０の間に、他側の案内部材が対応するように順次下方に向けて設けられている。このため、通路１６内を流下するパチンコ玉４は案内部材２０によって蛇行するように流下しながら、流下速度が低速化されると共に、案内部材との衝突に伴う騒音や衝撃が緩和され、しかも案内部材が緩衝部材からなるために騒音や衝撃が一層緩和される。同一側の上下で隣接している案内部材２０の間はパチンコ玉４が通過できる間隙からなる通孔２２となっている。
通路１６は上端部で流下通路２３（図１）と接続されており、下部で連絡室１８と連通されており、この流下通路内を流下するパチンコ玉４がこの通路内を通過して、連絡室へ落下可能である。流下通路２３は、図１６に示す角筒状の通路体２４と、この通路体内部の両側に位置している案内部材２５とから構成されている。通路体２４はその両側後部が上部タンク７（図１）に取付けられている。通路体２４の上部の後面には連通口２４ａが形成されており、上部タンク７から排出される余剰の研磨済みパチンコ玉４がこの連通口を通じて内部に供給される。各案内部材２５の材質及び形状並びに配置関係は前述した案内部材２０のそれらと同様であるので、詳細な説明は省略する。
２５ａは、案内部材２５を通路体２４に固定するためのボルトである。
流下通路２３と通路１６との接続部分はその外側から接続カバー１４によって被覆されている。
縦型貯留タンク１と通路１６との関係を説明する。
通路１６は、図３乃至図９に示すように、縦型貯留タンク１におけるタンク本体部９の内部中央に後側の支持板１９を当てた状態でボルト２６によって固定されている。縦型貯留タンク１内における通路１６の前方及び両側方が前述したように貯留空間１７となっており、両側の通孔２２を介してこの貯留空間と連通されている。このために、通路１６内に貯留されたパチンコ玉４は通孔２２を通じて縦型貯留タンク１の貯留空間１７へ流入する。
縦型貯留タンク１の下部は、図１、図２及び図１０乃至図１２に示すように連絡室１８となっており、この連絡室は下部補助貯留タンク２と連絡されている。連絡室１８は、前側の両側壁に出口２７が設けられている。連絡室１８の内底面１８ａは、図１に示すように中央部を高くし双方の出口２７に向けて下がり勾配である山形傾斜面としている。連絡室１８の内底面１８ａを山形傾斜面とすることにより、連絡室内のパチンコ玉は中央より双方の出口２７に円滑に振り分けられる。出口２７にはパチンコ玉の移動手段である移送樋２８が接続されている。縦型貯留タンク１内のパチンコ玉４は連絡室１８を通過して出口２７を経て移送樋２８へ流れて行く。
下部補助貯留タンク２について、主に図１、図２及び図１０乃至図１３を参照して説明する。
下部補助貯留タンク２は、図１及び図２に示すように遊技機列５の腰下に対に配置され、縦型貯留タンク１と共にユニットタンクを構成している。対の下部補助貯留タンク２は研磨機３を挟んで図１左右に対向的に配置され、その左右方向の長さはそれぞれ遊技機６の１台分の幅に相当するものである。各下部補助貯留タンク２の上端開口部には、図１０、図１１及び図１３に示すように移送樋２８がその内部上部中央を横断するように配置されている。図１に示す例によれば、移送樋２８が研磨機３側（内側）の端部からその反対側（外側）の端部に向けて下がり勾配となっている。連絡室１８の出口２７から流出したパチンコ玉４が移送樋２８を走行してこの移送樋の両側から下部補助貯留タンク２内へ落下可能である。そして図１１及び図１３に示すように、下部補助貯留タンク２の内底面２ａには排出口２ａ１を開けてある。排出口２ａ１は移送樋２８の先端部の真下に配置されていると共に、排出口２ａ１は下部補助貯留タンク２の下方に設けられている回収樋８と上下方向に対向位置している。下部補助貯留タンク２の内底面２ａは排出口２ａ１に向けて傾斜し断面形状が漏斗状になっている。排出口２ａ１と回収樋８との間は、案内通路３０によって接続されている。案内通路３０は、図１３及び図１４に示すようにその上端部が排出口２ａ１に接続され、上部から下方に向けて二股状に分かれて下端部の開口部３０ａは回収樋８の側部に接続されている。下部補助貯留タンク２内のパチンコ玉４は排出口２ａ１から下部補助貯留タンク２外の案内通路３０に流出され、案内通路の開口部３０ａを経て、図１４矢印に示すように、回収樋８の側部からアウト玉と合流し、研磨機３へ向けて移送され、やがて異物除去機構２９（図１０）を経てこの研磨機に回収される。
排出口２ａ１を異物除去機構２９の直前に接続するようにすれば、下部貯留タンク２の容量を有効に活用することができる。また案内通路３０に開閉弁を設けて、必要に応じて下部貯留タンク２内のパチンコ玉４を研磨機３へ供給するようにすれば、供給管理が確実に行える。
【０００７】
次に作用について説明する。
研磨機３で研磨されたパチンコ玉４は補給樋に移動するが、補給樋が一杯になると、上部タンク７で貯留され、上部タンクが満たされると、その余剰の研磨済みのパチンコ玉は流下通路２３へ供給される。すると、流下通路２３内のパチンコ玉４は案内部材２５によって流下通路２３内を下方に案内され落下され、やがて通路１６に落下される。通路１６内を落下するパチンコ玉４は案内部材２０によって衝撃が緩和され、蛇行するように流下しながら、やがて連絡室１８へ至る。連絡室１８内のパチンコ玉４は出口２７から移送樋２８を流れて両縁から下部補助貯留タンク２に落下して下部補助貯留タンクに貯留される。貯留されたパチンコ玉４は内底面２ａの排出口２ａ１から案内通路３０を経て徐々に回収樋８に移行され、回収樋に移動したパチンコ玉は異物除去機構２９を経て研磨機３に移動する。
連絡室１８内へのパチンコ玉４の供給量が出口２７の排出量より多い場合、または下部補助貯留タンク２が満杯になった場合には、連絡室１８内はパチンコ玉４で一杯になる。このような状態になると、通路１６内の下端開口部が閉塞状態になるので、通路内を落下するパチンコ玉は通路内に貯留されるが、このとき、通路両側に設けられている通孔２２を通過して縦型貯留タンク１の貯留空間１７内に移動してここで一時的に貯留される。
このように、パチンコ玉４は縦型貯留タンク１の貯留空間１７では上積み態状態で貯留されているので、排出時にはその重力で下のものから出口２７側へ移動し、上側のパチンコ玉もすべて貯留空間に停留することなく順次下部補助貯留タンク２へ移送され、円滑な循環が可能となる。そして余剰のパチンコ玉４は研磨機３の後側に近接して配置され、極めて近い位置にある縦型貯留タンク１に移動するから、その移動距離も短く、パチンコ玉の循環経路が短縮化され、走行する際に生じる騒音を抑えることができる。そしてパチンコ玉４の循環経路が短縮化されることに伴って、メンテナンスの点検個所を少なくすることができるために、維持管理の手間と費用を軽減することができる。また対の下部補助貯留タンク２は縦型貯留タンク１と共に補給装置としてユニットを構成し、しかもこのユニットが研磨機３の周辺に集約化できるために、換言すればこのユニットが遊技島全域に及ばないために、現場の施工がし易くなって施工の迅速化に寄与できて、施工のコストダウンを図ることができる。さらに、下部補助貯留タンク２は図１左右方向の長さはそれぞれ遊技機６の１台分の幅に相当するものとしているので、補給装置としてユニットを構成する下部補助貯留タンク２は縦型貯留タンク１と共に設置スペースをコンパクトにすることができる。研磨機３の後側の空間を縦型貯留タンク１の設置空間として有効利用できる。
図１２に示す研磨機３と縦型貯留タンク１との間の隙間空間３２が利用できる場合には、タンク前蓋部１０を同図矢印方向に前進させて、縦型貯留タンク１の貯留空間１７の容積を拡大させるようにすれば、スペースの有効利用が図れる。このスペースの有効利用に関する具体例として、遊技機列５が現金を使用する遊技機を有する場合には、遊技機列の内部に現金を回収するための貨幣回収機構を設けるようになっている。隙間空間３２の一部が上記貨幣回収機構の設置空間となっている場合には、タンク前蓋部１０を後退させて、遊技機の機種に対応させる。また遊技機列５がカードを使用するＣＲ遊技機を有する場合には、隙間空間３２全体を使用できるので、タンク前蓋部１０を前進させればよい。遊技機列５が備えている遊技機の機種に応じてタンク前蓋部１０を前進又は後退させるようにすることができる。換言すれば、タンク前蓋部１０を研磨機３側又はその反対側に移動可能にして、縦型貯留タンク１の内部空間を広狭可能にすることにより、隙間空間３２を貯留空間の全部又はその一部に利用可能にすることができるので、研磨機３の一側のスペースの有効利用が図れる。また上例では、遊技機６の種類に応じてタンク前蓋部１０を前進又は後退させることができるので、使用できる遊技機６の適用範囲が広くなる。
【０００８】
上例では、研磨機３から余剰のパチンコ玉４の移動は、流下通路２３を用いて通路１６へ導くようにしたが、通路１６を上方に延長して余剰のパチンコ玉を直接通路１６の上端部に受け入れるようにしても良い。このような場合には、
通路の延長部分には通孔２２を設けない。もちろん、縦型貯留タンク１それ自体を上方に延長しても良い。
通孔２２について、図示する例では隣接する案内部材２０間の間隙を通孔で兼用させているが、本体を構成する支持板１９に代えて通路体２４のような角筒体を用いて、この角筒体の側壁に通孔を形成するようにしても良い。また通孔を設ける場所は、両側又は片側の側面部に限られず、図５前面部に形成しても良い。移送樋の構成に関して、図１１に示すものに限定されず、例えば図１７及び図１８に示すようにしても良い。すなわち、図１１の例では移送樋２８は下部補助貯留タンク２の上部に配置され、その両側方からパチンコ玉４が直接下部補助貯留タンク内へ落下するようにして、構成の単純化を図っている。図１７及び図１８では、移送樋２８の両側方に孔開き板３１を設けている。孔開き板３１はパチンコ玉４が通過できる孔３１ａを複数開けてある。孔開き板３１は移送樋２８と共に下部補助貯留タンク２の上部開口を覆っている。パチンコ玉４はこれらの孔３１ａによって下部補助貯留タンク内に均等に貯まることができる。
対の下部補助貯留タンク２において、図１に示す例では左右方向の長さはそれぞれ遊技機６の１台分の幅に相当するものとしているが、複数台の遊技機に渡る長さを備えているものであっても良い。
【０００９】
【発明の効果】
この発明によれば、研磨機からの余剰の遊技媒体を研磨機の一側に配置している縦型貯留タンクに移動させるので、遊技媒体の循環経路が従来例に比較して簡略化され、簡略化された分だけ騒音発生が抑制され、定期的なメンテナンス個所が増えることが防止されると共に、縦型貯留タンクと下部補助貯留タンクとがユニットとなって研磨機周辺に集約化されることになり、この結果装置の維持管理や設置工事における手間と費用を軽減することができる。
この発明によれば、縦型貯留タンクの貯留空間では研磨された余剰の遊技媒体を上下方向に貯留できるので、縦型貯留タンク内から遊技媒体の排出が円滑に行われる。
【図面の簡単な説明】
【図１】この発明に係る遊技媒体の貯留装置の使用状態を示す一部切欠正面図である。
【図２】図１のＩＩ−ＩＩ線断面図である。
【図３】縦型貯留タンクを示す一部切欠正面図である。
【図４】縦型貯留タンクを示す側面図である。
【図５】縦型貯留タンクを示す拡大平面図である。
【図６】図３のＶＩ−ＶＩ線拡大断面図である。
【図７】図４のＶＩＩ−ＶＩＩ線断面図である。
【図８】図３のＶＩＩＩ−ＶＩＩＩ線断面図である。
【図９】図３のＩＸ−ＩＸ線断面図である。
【図１０】図２のＸ−Ｘ線拡大断面図である。
【図１１】移送樋、下部補助貯留タンク及び回収樋の関係を示す一部切欠拡大平面図である。
【図１２】図１０のＸＩＩ−ＸＩＩ線断面図である。
【図１３】図１１のＸＩＩＩ−ＸＩＩＩ線端面図である。
【図１４】案内通路と回収樋との関係を概略的に示す斜視図である。
【図１５】流下通路を示す一部切欠正面図である。
【図１６】図１５のＸＶＩ−ＸＶＩ線断面図である。
【図１７】パチンコ玉を移送樋から下部補助貯留タンクへ移動させるための手段における他の実施の形態を示す拡大平面図である。
【図１８】図１７のＸＶＩＩＩ−ＸＶＩＩＩ線端面図である。
【符号の説明】
１      縦型貯留タンク（貯留タンク）
２      下部補助貯留タンク
２ａ    内底面
２ａ１  排出口
３      研磨機
４      パチンコ玉（遊技媒体）
６      遊技機
８      回収樋
９      タンク本体部
１０    タンク前蓋部
１６    通路
１７    貯留空間
１８    連絡室
１８ａ  内底面
１９    支持板
２０    案内部材
２２    通孔
２７    出口
２８    移送樋（移動手段）
３０    案内通路
３０ａ  開口部
３１    孔開き板
３１ａ  孔
３２ 隙間空間
【図１】
0003683169.tif 000002
【図２】
0003683169.tif 000003
【図３】
0003683169.tif 000004
【図４】
0003683169.tif 000005
【図５】
0003683169.tif 000006
【図６】
0003683169.tif 000007
【図７】
0003683169.tif 000008
【図８】
0003683169.tif 000009
【図９】
0003683169.tif 000010
【図１０】
0003683169.tif 000011
【図１１】
0003683169.tif 000012
【図１２】
0003683169.tif 000013
【図１３】
0003683169.tif 000014
【図１４】
0003683169.tif 000015
【図１５】
0003683169.tif 000016
【図１６】
0003683169.tif 000017
【図１７】
0003683169.tif 000018
【図１８】
0003683169.tif 000019